(57)【特許請求の範囲】
【請求項１】
所定方向に延びる複数の溝及び該所定方向と交差する方向に延びる複数の溝によって表面に複数の凸部が区画形成された建築板であって、
前記所定方向に並ぶ凸部列を構成する各々の凸部は、前記所定方向と直交する断面形状が、前記所定方向に亘って同じであり、
前記凸部列のなかの一の凸部の表面は、前記所定方向と直交する断面において湾曲する湾曲面をなす一方、
前記凸部列のなかの前記一の凸部を除く他の凸部の少なくとも１つの凸部の表面は、前記湾曲面とは異なる形状をなし、かつ、当該凸部における前記所定方向に延びる前記溝側の端面が、前記一の凸部の当該溝側の端面と、前記建築板の板厚方向における寸法が異なっていることを特徴とする建築板。
【請求項２】
請求項１に記載の建築板において、
前記他の凸部の少なくとも１つの凸部の表面は、前記所定方向と直交する断面において湾曲する湾曲面をなし、当該湾曲面は、前記一の凸部の湾曲面とは異なる形状をなしていることを特徴とする建築板。
【請求項３】
請求項１又は２に記載の建築板において、
前記凸部列を構成する前記各々の凸部の表面における前記所定方向に延びる前記溝側の端縁が、当該凸部における前記所定方向に延びる前記溝側の端面に繋がっており、
前記一の凸部の前記湾曲面は、前記交差する方向における一方側において凸となり、且つ、他方側において凹となるように湾曲し、
前記湾曲面には、前記所定方向に延びる複数の細線が該所定方向と直交する方向に並ぶように形成されていることを特徴とする建築板。
【請求項４】
請求項１又は２に記載の建築板において、
前記湾曲面には、前記所定方向に延びる複数の細線が該所定方向と直交する方向に並ぶように形成されており、
前記細線は、前記湾曲面の低い位置ほど密に形成されていることを特徴とする建築板。
【請求項５】
請求項１乃至４のいずれか１項に記載の建築板において、
前記複数の凸部のうちの２０％以上の凸部に前記湾曲面が形成され、前記湾曲面が形成されたこれら前記凸部がランダムに配置されていることを特徴とする建築板。
【請求項６】
請求項１乃至５のいずれか１項に記載の建築板において、
前記湾曲面が形成された前記凸部が前記建築板の端部に少なくとも１つ設けられていることを特徴とする建築板。
【請求項７】
請求項１乃至６のいずれか１項に記載の建築板において、
前記建築板は、矩形板状をなし、その表面には、各々該建築板の長手方向に延びるように設けられた複数の凸部列と、各々前記長手方向に延びるように設けられ、表面が平坦面からなる平坦面凸部列と、が前記建築板の短手方向に交互に設けられていることを特徴とする建築板。
【請求項８】
請求項７に記載の建築板において、
前記建築板の短手方向両端部の少なくとも一方に前記凸部列が設けられていることを特徴とする建築板。
【発明の詳細な説明】
【技術分野】
【０００１】
本発明は建築板に関する。
【背景技術】
【０００２】
特許文献１には建築板が開示されている。この建築板の表面には、建築板の長手方向と平行な複数の長凹溝と、建築板の短手方向と平行な複数の短凹溝とが形成されている。建築板の表面には、複数の長凹溝と複数の短凹溝とで区画された多数の凸模様部が形成されている。
【先行技術文献】
【特許文献】
【０００３】
【特許文献１】特開２０１３−１６７１２９号公報
【発明の概要】
【発明が解決しようとする課題】
【０００４】
ところで、前記建築板が複数枚並べて施工されたとき、建築板の製造誤差や施工誤差等により、隣り合う建築板の長凹溝同士あるいは短凹溝同士がずれる場合があり、このズレが目立つと外観品質が低下するという課題がある。
【０００５】
本発明は前記事情に鑑みてなされたものであって、隣り合う建築板の溝同士の位置ズレが目立ち難い建築板を提供することを目的とする。
【課題を解決するための手段】
【０００６】
前記目的を達成するために本発明の建築板は、所定方向に延びる複数の溝及び該所定方向と交差する方向に延びる複数の溝によって表面に複数の凸部が区画形成された建築板であって、前記所定方向に並ぶ凸部列を構成する各々の凸部は、前記所定方向と直交する断面形状が、前記所定方向に亘って同じであり、前記凸部列のなかの一の凸部の表面は、前記所定方向と直交する断面において湾曲する湾曲面をなす一方、前記凸部列のなかの前記一の凸部を除く他の凸部の少なくとも１つの凸部の表面は、前記湾曲面とは異なる形状をなし、かつ、当該凸部における前記所定方向に延びる前記溝側の端面が、前記一の凸部の当該溝側の端面と、前記建築板の板厚方向における寸法が異なっていることを特徴とする。
【０００７】
また、前記他の凸部の少なくとも１つの凸部の表面は、前記所定方向と直交する断面において湾曲する湾曲面をなし、当該湾曲面は、前記一の凸部の湾曲面とは異なる形状をなしていることが好ましい。
【０００８】
また、前記凸部列を構成する前記各々の凸部の表面における前記所定方向に延びる前記溝側の端縁が、当該凸部における前記所定方向に延びる前記溝側の端面に繋がっており、前記一の凸部の前記湾曲面は、前記交差する方向における一方側において凸となり、且つ、他方側において凹となるように湾曲し、前記湾曲面には、前記所定方向に延びる複数の細線が該所定方向と直交する方向に並ぶように形成されていることが好ましい。
【０００９】
また、前記湾曲面には、前記所定方向に延びる複数の細線が該所定方向と直交する方向に並ぶように形成されており、前記細線は、前記湾曲面の低い位置ほど密に形成されていることが好ましい。
【００１０】
また、前記複数の凸部のうちの２０％以上の凸部に前記湾曲面が形成され、前記湾曲面が形成されたこれら前記凸部がランダムに配置されていることが好ましい。
【００１１】
また、前記湾曲面が形成された前記凸部が前記建築板の端部に少なくとも１つ設けられていることが好ましい。
【００１２】
また、前記建築板は、矩形板状をなし、その表面には、各々該建築板の長手方向に延びるように設けられた複数の凸部列と、各々前記長手方向に延びるように設けられ、表面が平坦面からなる平坦面凸部列と、が前記建築板の短手方向に交互に設けられていることが好ましい。
【００１３】
また、前記建築板の短手方向両端部の少なくとも一方に前記凸部列が設けられていることが好ましい。
【発明の効果】
【００１４】
本発明に係る建築板は、建築板を所定方向に並べて施工したときに、仮に所定方向に隣り合う建築板の溝同士がずれたとしても、このズレを目立ち難くすることができる。
【図面の簡単な説明】
【００１５】
【図１】図１は、本発明の一実施形態に係る建築板の表面を示した写真である。
【図２】図２は、同上の建築板の施工状態を示した正面図である。
【図３】図３は、同上の建築板の表面の一部を示した写真である。
【図４】図４は、同上の建築板の一部を示した写真である。
【図５】図５は、同上の建築板の一部を示す縦断面図である。
【図６】図６は、同上の建築板の第２溝の水平面に沿った断面図である。
【図７】図７Ａ〜図７Ｅは、同上の建築板の５種類の凸部の縦断面図である。
【図８】図８Ａは、同上の建築板を上下方向に並べて施工したときの接合部分を示した縦断面図であり、図８Ｂは、他例の建築板を上下方向に並べて施工したときの接合部分を示した縦断面図である。
【図９】図９は、変形例１に係る建築板の正面図である。
【図１０】図１０は、他例の建築板を左右方向に並べて施工したときの接合部分を示した正面図である。
【図１１】図１１は、さらに他例の建築板を左右方向に並べて施工したときの接合部分を示した正面図である。
【図１２】図１２は、変形例２の建築板の一部を示した斜視図である。
【発明を実施するための形態】
【００１６】
以下に示す実施形態は、建築板に関し、詳しくは、表面に複数の溝とこれら複数の溝によって区画形成された複数の凸部とが形成された建築板に関する。
【００１７】
（建築板１）
図１に示される本実施形態の建築板１は、外壁材として利用される。なお、以下では建築板１の施工状態における方向を基準にして説明する。具体的には、建築板１から屋外に向かう方向を前方とし、建築板１から屋内に向かう方向を後方とし、また、建築板１を前側から見たときを基準として左右方向を定義する。
【００１８】
建築板１は、窯業系のサイディング材である。建築板１は、モルタル、コンクリートなどのセメント質材料から形成される。
【００１９】
建築板１の板厚方向は、前後方向と平行である。建築板１は上下寸法よりも左右寸法が長い矩形状に形成されており、横張り施工される。すなわち、本実施形態の建築板１の
長手方向は、左右方向であり、短手方向は上下方向である。
【００２０】
建築板１は、例えば図２に示されるように上下方向及び左右方向に複数枚並べて施工される。これら建築板１は、例えば胴縁や間柱、下地ボード等から構成される壁下地の屋外側に配置され、ねじや釘等の固着具及び取付金具等を用いて壁下地に固定される。なお、隣り合う建築板１の間の目地は、コーキング等の目地材９０によってシールされる。
【００２１】
図３は図１のＡ部を拡大した写真である。図４は建築板１の一部を拡大した写真である。図１、図３及び図４に示されるように、建築板１の屋外側に臨む表面１０（以下、板表面１０という）には、複数の溝２と、これら複数の溝２によって区画形成された複数の凸部３とが形成されている。
【００２２】
（溝２）
複数の溝２は、複数の第１溝２１と、複数の第２溝２２とを備えている。
【００２３】
（第１溝２１）
複数の第１溝２１の各々は、所定方向に延びている。本実施形態の各第１溝２１は、左右方向に延びた横溝であって、複数の第１溝２１は、上下方向に並んでいる。各第１溝２１は、建築板１の左右両端の間に亘っている。
【００２４】
本実施形態の複数の第１溝２１は、複数の主溝２１０と、複数の副溝２１１とを備えている。
【００２５】
主溝２１０と副溝２１１とは、建築板１の板表面１０において上下方向に交互に形成されている。主溝２１０と、当該主溝２１０の直上に位置する副溝２１１との間隔は、当該主溝２１０と、当該主溝２１０の直下に位置する副溝２１１との間隔よりも大きい。
【００２６】
（主溝２１０）
複数の主溝２１０の各々は、図５に示されるように、箱目地状に形成されており、溝底面２１２と、上下の溝側面２１３とを有している。
【００２７】
各主溝２１０の溝底面２１２は、前後方向に直交した面である。各主溝２１０の上下の溝側面２１３は、溝底面２１２の幅方向（上下方向）における両端からそれぞれ前方に向かって延びている。
【００２８】
各主溝２１０の上下の溝側面２１３は、前方に近い部分ほど上下の溝側面２１３の間隔が大きくなるように傾斜している。すなわち、各主溝２１０は、前方に近い部分ほど溝幅が広がっている。
【００２９】
各主溝２１０の溝底面２１２の幅ｗは、左右方向に亘って一定である。
【００３０】
（副溝２１１）
複数の副溝２１１の各々は、図５に示されるように、溝底面の無いＶ目地状に形成されており、後端同士が繋がった上下の溝側面２１４を有している。各副溝２１１の上下の溝側面２１４は、前方に近い部分ほど上下の溝側面２１４の間隔が大きくなるように傾斜している。すなわち、各副溝２１１は、前方に近い部分ほど溝幅が広がっている。
【００３１】
副溝２１１は主溝２１０よりも溝深さＤが浅い。副溝２１１は主溝２１０よりも、最大溝幅Ｗが小さい。
【００３２】
（第２溝２２）
図４に示されるように、複数の第２溝２２の各々は、第１溝２１の延びる方向と交差する方向に延びている。本実施形態の複数の第２溝２２の各々は、上下方向に延びた縦溝である。
【００３３】
複数の第２溝２２は、主溝２１０と副溝２１１との間において、左右方向に並んでいる。各第２溝２２は、下端が主溝２１０に繋がり、上端が副溝２１１に繋がっている。
【００３４】
各第２溝２２は、図６に示されるように溝底面の無いＶ目地状に形成されており、後縁同士が繋がった左右の溝側面２２０を有している。各第２溝２２の左右の溝側面２２０は、前方に近い部分ほど左右の溝側面２２０の間隔が大きくなるように傾斜している。
【００３５】
第２溝２２は副溝２１１よりも最大溝幅Ｗ及び溝深さＤが小さい。
【００３６】
（第３溝２３）
本実施形態の複数の溝２は、図４に示される複数の第３溝２３をさらに備えている。複数の第３溝２３の各々は、第１溝２１の延びる方向と交差する方向に延びている。本実施形態の各第３溝２３は、上下方向に延びた縦溝である。
【００３７】
複数の第３溝２３は、主溝２１０と副溝２１１との間において、左右方向に並んでいる。各第３溝２３は、下端が副溝２１１に繋がり、上端が主溝２１０に繋がっている。
【００３８】
第３溝２３は、共通の主溝２１０に繋がった第２溝２２、及び、共通の副溝２１１に繋がった第２溝２２と、左右方向において異なる位置に形成されている。すなわち、建築板１の板表面１０において、複数の第２溝２２と複数の第３溝２３は、千鳥状に配置されている。
【００３９】
各第３溝２３は、第２溝２２と同様、Ｖ目地状に形成されている。第３溝２３は、第２溝２２よりも上下長さが短い。第３溝２３は、第２溝２２と最大溝幅及び溝深さが同じである。
【００４０】
（凸部３）
複数の溝２で区画形成された複数の凸部３の各々は、正面視矩形状である。建築板１の板表面１０には、複数の凸部列３４と、複数の平坦面凸部列３５とが形成されている。複数の凸部列３４の各々、及び複数の平坦面凸部列３５の各々は、左右方向に並んだ複数の凸部３で構成されており、左右方向に延びるように設けられている。凸部列３４と平坦面凸部列３５とは、上下方向（建築板１の短手方向）において交互に並んでいる。
【００４１】
各凸部列３４を構成する各々の凸部３は、隣り合う第２溝２２と、隣り合う第１溝２１（主溝２１０と副溝２１１）とで、囲まれた凸部３（後述する凸部３Ａ〜３Ｅ）である。
【００４２】
平坦面凸部列３５を構成する各々の凸部３は、隣り合う第３溝２３と、隣り合う第１溝２１で囲まれた凸部３（後述する凸部３Ｆ）である。
【００４３】
各凸部列３４は、第１溝２１に沿った第１凸部３１と、第２溝２２を介して第１凸部３１と隣り合い、かつ第１溝２１に沿った第２凸部３２とを備えている。
【００４４】
第１凸部３１は、左右方向と直交する断面（すなわち上下方向の断面）において湾曲した第１表面３１０を有している。具体的に、この第１表面３１０の断面形状は、上下方向中央よりも上下方向一方側において前方に凸となると共に一方側端縁が当該一方側に向かって後側に傾斜し、且つ、上下方向他方側において後方に凹となると共に他方側端が当該他方側に向かって前側に傾斜し、隣接する第一溝２１１との間に段部が形成されるように湾曲しており、この湾曲形状が左右方向全体に亘って形成されている。このため、第１表面３１０に太陽光等の光が当たったときには、前方に凸となる部分が後方に凹となる部分よりも光が当たり、第１表面３１０に形成される影が不均一になりやすい。
【００４５】
第２凸部３２は、上下方向の断面において第１表面３１０と異なる形状の第２表面３２０を有している。このため、第２表面３２０に形成される影はほぼ均一となり、不均一な影が形成される第１表面３１０と異なりやすい。
【００４６】
第１凸部３１の上下の端面は、第１溝２１の溝側面２１３を兼ねている。第１表面３１０の上下の端縁は、第１凸部３１の上下の端面にそれぞれ繋がっている。具体的には、第１表面３１０の上下方向一方側端が箱目地状の主溝２１０に隣接している場合、当該一方側端が主溝２１０の溝側面と角部を形成するように繋がり、また、上記上下方向一方側端がＶ目地状の副溝２１０に隣接している場合、当該一方側端が主溝２１０の溝側面と滑らかに繋がっている一方、第１表面３１０の上下方向他方側端は、第１溝２１の溝側面２１３と角部を形成するように繋がっている。
【００４７】
第２凸部３２の上下の端面は、第１溝２１の溝側面２１３を兼ねている。第２表面３２０の上下の端縁は、第２凸部３２の上下の端面にそれぞれ繋がっている。
【００４８】
第１凸部３１の上端面の前後寸法（建築板１の板厚方向における寸法）と、第２凸部３２の上端面の前後寸法、又は第１凸部３１の下端面の前後寸法と、第２凸部３２の下端面の前後寸法、あるいはその両方は、異なっている。このため、第１溝２１においては、第１凸部３１に対応する部分と第２凸部３２に対応する部分とでは形成される影が異なり、第１溝２１は長手方向（左右方向）において溝幅が異なるような外観となる。したがって、建築板１を左右方向に並べて施工したときに、仮に左右方向に隣り合う建築板１の対応する第１溝２１同士が上下にずれたとしても、このズレが第１溝２１の長手方向において溝幅が異なるような外観によって目立ち難くなる。
【００４９】
以下、複数の凸部３について詳述する。本実施形態の建築板１は、凸部３として、図３に示す６種類の凸部３を備えている。以下、これら６種類の凸部３を、それぞれ凸部３Ａ〜３Ｆという。
【００５０】
凸部３Ａ〜３Ｅの各々は、隣り合う第２溝２２と、隣り合う第１溝２１（主溝２１０と副溝２１１）とで、囲まれている。凸部３Ａ〜３Ｅの各々は、正面視で上下寸法よりも左右寸法が長い矩形状である。
【００５１】
凸部３Ａ〜３Ｅの各々の上下の端面は、第１溝２１の溝側面２１３を兼ねている。凸部３Ａ〜３Ｅの各々の左右の端面は、第２溝２２の溝側面２２０を兼ねている。
【００５２】
凸部３Ａ〜３Ｅは、左右方向と直交する断面における表面の形状が、それぞれ異なっている。なお、各凸部３Ａ〜３Ｅの左右方向と直交する断面形状は、左右方向に亘って同じである。
【００５３】
（凸部３Ａ）
凸部３Ａは、図７Ａに示されるように、表面が全体に亘って前後方向と直交した平坦な面である。凸部３Ａの上端面の前後寸法は、凸部３Ａの下端面の前後寸法よりも小さい。
【００５４】
（凸部３Ｂ〜凸部３Ｅ）
凸部３Ｂ〜３Ｅの各々は、図７Ｂ〜図７Ｅに示されるように、表面の全体が左右方向と直交する断面において湾曲した湾曲面３３である。このため、凸部３Ｂ〜３Ｅの表面においては、前方に突出した部分よりも後方に凹んだ部分に濃い影が形成されやすく、凸部３Ａの表面と異なる外観となる。
【００５５】
（凸部３Ｂ）
凸部３Ｂの表面は、図７Ｂに示されるように、上下方向の中間部（詳しくは下部）が凹み、かつ当該凹んだ部分の上方部及び下方部が突出するように湾曲した湾曲面３３である。
【００５６】
凸部３Ｂの表面の上縁は、凸部３Ａの表面の上縁よりも後方に位置している。凸部３Ｂの上端面の前後寸法は、凸部３Ａの上端面の前後寸法よりも小さい。
【００５７】
凸部３Ｂの表面の下縁は、凸部３Ａの下縁と前後方向において同じ位置にある。凸部３Ｂの下端面の前後寸法は、凸部３Ａの下端面の前後寸法と同じである。
【００５８】
（凸部３Ｃ）
凸部３Ｃの表面は、図７Ｃに示されるように、凸部３Ｂの表面を上下に反転した形状であり、上部が凹むように湾曲した湾曲面３３である。
【００５９】
凸部３Ｃの表面の上縁は、凸部３Ａの上縁と前後方向において同じ位置にある。凸部３Ｃの上端面の前後寸法は、凸部３Ａの上端面の前後寸法と同じである。
【００６０】
凸部３Ｃの表面の下縁は、凸部３Ａの表面の下縁よりも後方に位置している。凸部３Ｃの下端面の前後寸法は、凸部３Ａの下端面の前後寸法よりも小さい。
【００６１】
（凸部３Ｄ）
凸部３Ｄの表面は、図７Ｄに示されるように、左右方向と直交する断面においてＳ字状に形成されており、下端部と上下方向における中間部が突出し、かつこれら突出部分の間及び上端部が凹むように湾曲した湾曲面３３である。
【００６２】
凸部３Ｄの表面の上縁は、凸部３Ａ〜３Ｃの上縁よりも後方に位置している。凸部３Ｄの上端面の前後寸法は、凸部３Ａ〜３Ｃの上端面の前後寸法よりも小さい。
【００６３】
凸部３Ｄの下縁は、凸部３Ａ，３Ｂの下縁と前後方向において同じ位置にある。凸部３Ｄの下端面の前後寸法は、凸部３Ａ，３Ｂの下端面の前後寸法と同じである。
【００６４】
（凸部３Ｅ）
凸部３Ｅの表面は、図７Ｅに示されるように、凸部３Ｄの表面を上下に反転した形状であり、上端部と上下方向における中間部が突出するように湾曲した湾曲面３３である。
【００６５】
凸部３Ｅの表面の上縁は、凸部３Ａ，３Ｃの表面の上縁と前後方向において同じ位置にある。凸部３Ｅの上端面の前後寸法は、凸部３Ａ、３Ｃの上端面の前後寸法と同じである。
【００６６】
凸部３Ｅの表面の下縁は、凸部３Ａ〜３Ｄの表面の下縁よりも後方に位置している。凸部３Ｅの下端面の前後寸法は、凸部３Ａ〜３Ｄの下端面の前後寸法よりも小さい。
【００６７】
（外観）
以上説明した凸部３Ｂ〜３Ｅの表面は、凹んだ部分と突出部分との上下方向における位置が異なるため、陰影のでき方がそれぞれ異なる。
【００６８】
凸部３Ａ，３Ｂ，３Ｄの各々の下端面の前後寸法は、凸部３Ｃ，３Ｅの各々の下端面の前後寸法よりも大きい。このため、第１溝２１において凸部３Ａ，３Ｂ，３Ｄの下端面に対応する部分は、凸部３Ｃ，３Ｅの下端面に対応する部分よりも濃い影が形成されやすい。
【００６９】
また、本実施形態の凸部３Ｂ〜３Ｅの湾曲した表面は、左右の端縁が、第２溝２２の溝側面２２０に繋がっており、凸部３Ｂ〜３Ｅの左右の端面の前後寸法は、上下方向において変化している。このため、第２溝２２においても、凸部３Ｂ〜３Ｅのそれぞれに対応する部分の影のでき方が変化しやすい。
【００７０】
凸部３Ａ〜３Ｅは、隣り合う第１溝２１の間においてランダムに配置されており、建築板１には、前述した第１凸部３１と第２凸部３２が存在している。すなわち、第１凸部３１は凸部３Ｂ〜３Ｅのいずれかの凸部３であり、第２凸部３２は凸部３Ａ〜３Ｅのうち、第１溝２１側の端面の前後寸法が、第１凸部３１の第１溝２１側の端面の前後寸法と異なる凸部３である。
【００７１】
例えば第１凸部３１が凸部３Ｂである場合、第２凸部３２は、上端面の前後寸法が凸部３Ｂとは異なる凸部３Ａ，３Ｃ〜３Ｅのいずれか、又は下端面の前後寸法が凸部３Ｂと異なる凸部３Ｃ又は凸部３Ｅとなる。
【００７２】
（凸部３Ｆ）
図３に示される凸部３Ｆは、隣り合う第３溝２３と、隣り合う第１溝２１で囲まれている。凸部３Ｆは、正面視で上下寸法よりも左右寸法が長い矩形状である。ただし、凸部３Ｆは凸部３Ａ〜３Ｅよりも上下寸法が小さい。
【００７３】
凸部３Ｆの上下の端面の各々は、第１溝２１の溝側面２１３を兼ねている。凸部３Ｆの左右の端面の各々は、第３溝２３の溝側面を兼ねている。
【００７４】
凸部３Ｆは、図４に示されるように、表面が板厚方向と直交した平坦な面である。
【００７５】
凸部３Ｆの表面の上下縁は、凸部３Ａの表面の上下縁と前後方向において同じ位置にある。凸部３Ｆの上端面の前後寸法は、凸部３Ａの下端面の前後寸法と同じであり、凸部３Ｆの下端面の前後寸法は、凸部３Ａの上端面の前後寸法と同じである。
【００７６】
（応用例）
ここで、建築板１を施工した建築物の外観を損ねる要因として、上記のような左右方向に並ぶ建築板１の横目地である第１溝２１同士のズレだけでなく、上下方向に並ぶ建築板１の接合部のズレがある。具体的には、図８Ａに示すように、下側の建築板１が上端部に受け実部８１を有する一方、上側の建築板１が下端部に押え実部８２を有し、これら上下両側の建築板１は、押え実部８２が受け実部８１を押えるように接合している。受け実部８１の上部後端部は、上方に突出する一方、押え実部８２の下部前端部は、下方に突出しており、この下方突出部分が受け実部８１の上方突出部分を覆っている。
【００７７】
両実部８１，８２が接合した状態において、受け実部８１の下部表面と押え実部８２の下部表面とによって目地が形成されている。具体的には、図８Ａに示すように、受け実部８１の下部表面には、上方に向かって後側に傾斜する傾斜面８１ａと、この傾斜面８１ａの上端から上方に鉛直に延びる平坦面８１ｂと、が形成されている一方、押え実部８２の下部表面には、下方に向かって後側に傾斜する傾斜面８２ａと、この傾斜面８２ａの下端から下方に鉛直に延びる平坦面８２ａと、が形成され、これら傾斜面８１ａ，８２ａが目地の側面を形成すると共に、平坦面８１ｂ，８２ｂが目地の底面を形成している。
【００７８】
上述の目地の幅は、壁下地の不陸および施工バラツキ等により、不均一となって外観を損ねる可能性がある。このような目地の幅の不均一さ、左右方向に並ぶ建築板１の横目地同士のズレとによる外観不良と、を目立たなくするべく、以下のような手段がある。
【００７９】
先ず、複数の箱目地状の主溝２１０の溝底面２１２の幅ｗを主溝２１０毎に不規則に変化させる。図３では、隣り合う第１溝２１の溝底面２１２の幅ｗが、互いに異なっている。具体的には、建築板１の全ての主溝２１０の溝底面２１２の幅の平均を平均幅ｗａとすると、主溝２１０毎に溝底面２１２をｗａ×０．２５〜ｗａ×２．５の範囲で不規則に変化させる。これにより、左右方向に並ぶ建築板１の横目地同士のズレが目立たなくなると共に、建築板１内に複数種類の幅の第１溝２１が混在するため、上下接合部の目地幅の不均一さが目立たなくなる。
【００８０】
また、１本の主溝２１０のなかで溝底面２１２の幅ｗを変化させてもよい。具体的には、上記平均幅ｗａを用いて、溝底面２１２がｗ＝ｗａ×０．２５〜ｗａ×２．５の範囲で変化させるのが好ましい。さらには、１本の主溝２１０の溝底面２１２の全体のうち１０〜５０％の部分を変化させることが好ましい。これにより、建築板１内の第１溝２１の幅が長手方向に変化しているため、左右方向に並ぶ建築板１の横目地同士のズレが目立たなくなると共に、上下接合部の目地幅の不均一さも目立たなくなる。
【００８１】
また、建築板１の表面における陰影のでき方をさらに変化させるには、建築板１の全体において、複数の第１溝２１の溝深さＤが、第１溝２１毎に不規則に変化することが好ましい。具体的には、建築板１の全ての第１溝２１の深さＤの平均を平均深さＤａとすると、第１溝２１毎に溝深さＤをＤａ×０．２５〜Ｄａ×２．５の範囲で不規則に変化させる。これにより、第１溝２１毎に溝深さＤが変化するため、第１溝２１の陰影の濃さが変化し、上下接合部の目地幅の不均一さが目立たなくなる。
【００８２】
ここで、特に建築板１を上下方向に並べて施工したときの接合部については、上記の如く壁下地の不陸および施工バラツキの他に建築板１の厚みバラツキによっても不均一さ、特に陰影の不均一さが目立つ場合がある。
【００８３】
例えば図８Ａに示されるような形状の建築板１において、例えば施工バラツキ等によって押え実部８２が設計値よりも前方に突出すると、押え実部８２が受け実部８１よりも前方に突出して押え実部８２と受け実部８１との間に濃い陰影が形成される。そこで、受け実部８１及び押え実部８２の各平坦面８１ｂ，８２ｂを建築板１の内部の目地の平均深さ（その位置を破線Ｘで示している）よりも浅く形成する。これにより、両実部８１，８２によって形成される目地の陰影が比較的薄くなる。このため、濃い陰影が現れるのを抑制することができる。
【００８４】
また、受け実部８１の平坦面８１ｂを、押え実部８２の平坦面８２ｂよりも浅くすることが好ましい。これにより、両実部８１，８２間に形成される上記の比較的濃い陰影が薄まり、この陰影が目立つのを抑制することができる。
【００８５】
さらには、図８Ｂに示すように、傾斜面８１ａと平坦面８１ｂとの境界（または、傾斜面８２ａと平坦面８２ｂとの境界）に傾斜面８１ａ（傾斜面８２ａ）よりも傾斜角度が緩やかな傾斜面８１ｃ（傾斜面８２ｃ）を設けてもよい。この場合、当該境界の明暗にメリハリが付き難く、陰影の濃さがより薄まり、上下接合部の陰影のバラツキが低減する。このため、上下接合部の不均一さが目立たなくなる。なお、上記境界部分に設ける傾斜面は一つに限らず、複数設けてもよい。また、上記境界部分をＲ状に湾曲させてもよい。
【００８６】
また、第１溝２１の上下の溝側面２１３，２１４（凸部３の第１溝２１側の端面）の上下方向に対する傾斜角度αは、図７Ａ〜図７Ｅに示されるように全て同じであってもよいし、異なっていてもよい。
【００８７】
ここで、第１溝２１における陰影のでき方をさらに変化させるには、第１溝２１の溝側面２１３，２１４の傾斜角度αを左右方向において変化させることが好ましい。この場合、溝側面２１３，２１４の傾斜角度αは、１つの凸部３において変化してもよいし、第１凸部３１に対応する部分と第２凸部３２に対応する部分とで異なってもよい。
【００８８】
また、建築板１の表面における陰影のでき方をさらに変化させるには、図４に示されるように、第１溝２１の溝側面２１３，２１４の前端部に、第１溝２１側に開口した凹所４を形成することが好ましい。
【００８９】
図４に示す例では、凸部３Ｆの端面を兼ねる、第１溝２１の溝側面２１３，２１４に、ブロックの一部が崩れ落ちたような外観を有する凹所４が形成されている。なお、凹所４は、凸部３Ｆの端面を兼ねる、第１溝２１の溝側面２１３だけでなく、凸部３Ａ〜３Ｅの各々の端面を兼ねる第１溝２１の溝側面２１３に形成されてもよいし、第２溝２２や第３溝２３に形成されてもよい。
【００９０】
また、各凸部３の表面には、図７Ａ〜図７Ｅに示されるように、第１溝２１と平行で、上下方向に並んだ複数の細線５が形成されることが好ましい。この場合、各凸部３の表面においては、細線５が形成された部分に濃い影が形成されやすくなり、第１凸部３１の表面と第２凸部３２の表面との外観を、一層異ならせることができる。
【００９１】
なお、図７Ａ〜図７Ｅに示される各細線５は、第１溝２１よりも溝幅の小さい溝であるが、第１溝２１の溝幅よりも幅が小さい突条であってもよい。また、各凸部３の表面には、細線５を形成しなくてもよい。
【００９２】
各凸部３に形成された隣り合う細線５の間隔は、図７Ａに示されるように上下方向に亘って一定であってもよいし、図７Ｂ〜図７Ｅに示されるように上下方向において変化してもよい。後者の場合、第１凸部３１の表面や第２凸部３２の表面にできる影のでき方が一層不均一になり、隣り合う建築板１の第１溝２１同士のズレを、一層目立ち難くできる。
【００９３】
また、図７Ｂ〜図７Ｅに示されるように、隣り合う細線５の間隔を変化させる場合、隣り合う細線５の間隔を、凸部３の表面において後方に凹んだ部分においては狭く、前方に突出した部分においては広くすることがより好ましい。このようにすることで、凸部３の表面において凹んだ部分は、突出した部分と比較して、陰影を濃くすることができ、第１凸部３１の表面や第２凸部３２の表面に形成される影のでき方が一層不均一になる。
【００９４】
また、建築板１の板表面１０は、図３等に示されるように、全体で塗り斑がつくように塗装されることが好ましい。この場合、建築板１の表面における塗装が不均一になり、隣り合う建築板１の第１溝２１同士のズレが、一層目立ち難くなる。また、この場合、複数の凸部３のうちの一部の凸部３は、表面が湾曲しているので、ロールコーター等の塗装装置を用いて塗り斑のある塗装を簡単に行うこともできる。
【００９５】
（変形例）
次に変形例１及び変形例２の建築板１について説明する。なお、以下の変形例１、２の説明では、前記実施形態と共通の構成については同一の符号を付し、共通する点については説明を省略する。
【００９６】
（変形例１）
図９に示される変形例１の建築板１は、複数の溝２が複数の第１溝２１と複数の第２溝２２とで構成されており、第３溝２３を備えていない。すなわち、本変形例の建築板１は、凸部３として５種類の凸部３Ａ〜３Ｅを備えており、凸部３Ｆは備えていない。各第２溝２２は板表面１０の上下両端の間に亘っている。
【００９７】
ここで、第１凸部３１は、図９に示されるように、建築板１の板表面１０において、少なくとも左右方向における一端部に形成されることが好ましい。なお、図９では第１凸部３１と他の凸部３とを区別するため、第１凸部３１を囲む線を太線としている。このように建築板１の板表面１０において、少なくとも左右方向における一端部に第１凸部３１を形成することで、第１溝２１は、隣に施工される建築板１に最も近い部分が溝幅が異なるような外観となり、これにより隣り合う建築板１の第１溝２１同士のズレが、一層目立ち難くなる。
【００９８】
また、第１凸部３１は、左右両端部のうちの一方にのみ形成されてもよい。図１０及び図１１は、板表面１０の左右両端部のうちの右端部にのみ第１凸部３１が形成された建築板１が左右に並べて施工された状態を示している。なお、図１０及び図１１では、第１凸部３１と他の凸部３とを区別するため、第１凸部３１を囲む線を太線にしている。
【００９９】
図１０に示される建築板１は、板表面１０の右端部に配置された複数の凸部３のうちの全ての凸部３が第１凸部３１である。図１１に示される建築板１は、板表面１０の右端部に配置された複数の凸部３のうちの一部の凸部３だけが第１凸部３１である。
【０１００】
図１１に示されるように板表面１０の左右一方に配置された複数の凸部３のうちの一部の凸部３だけが第１凸部３１である場合、隣り合う建築板１の第１溝２１同士のズレをより目立ち難くするには、板表面１０の左右一方の端部に配置された複数の凸部３のうちの３０％以上の数の凸部３が第１凸部３１であることが好ましい。
【０１０１】
なお、前記実施形態においても、図９〜図１１に示す例と同様に、第１凸部３１が建築板１の板表面１０において少なくとも左右方向における一端部に形成されてもよい。
【０１０２】
また、サイディング材等からなる建築板１は、例えば切断されて左右方向の長さが変更された上で施工される場合があり、この場合、切断後の建築板１の左右方向の端部に第１凸部３１が存在しなくなる場合がある。このため、図９に示されるように、建築板１の全体に形成された複数の凸部３のうちの２０％以上の数の凸部３が第１凸部３１であり、これら第１凸部３１が建築板１の板表面１０においてランダムに配置されることが好ましい。この場合、切断後の建築板１の左右方向の端部には、第１凸部３１が存在しやすくなる。なお、図９に示す例では、左右方向に並んだ複数列の凸部３の全てが少なくとも１つの第１凸部３１を有しているが、これら複数列の凸部３のうちのいくつかは第１凸部３１を有さなくてもよい。
【０１０３】
なお、前記実施形態においても、図９に示す例と同様に、建築板１全体に形成された複数の凸部３のうちの２０％以上の数の凸部３が第１凸部３１であってもよい。
【０１０４】
（変形例２）
本変形例の建築板１は、凸部３Ｂ〜３Ｅ、凸部３Ａ〜３Ｅ、又は凸部３Ａ〜３Ｆが、図１２に示される形状であり、これら凸部３の各々は表面全体が上下方向と直交する断面において湾曲した湾曲面３３である。なお、各凸部３の上下方向と直交する断面形状は、上下方向に亘って同じである。
【０１０５】
本変形例では、凸部３の第１溝２１側の端面の前後寸法が、左右方向において変化している。このため、第１溝２１において凸部３に対応する部分は、影のでき方が左右方向において変化する。
【０１０６】
（効果）
以上説明した実施形態、及び変形例１の建築板１は、以下の構成を有している。建築板１は、板表面１０に形成された複数の溝２と、板表面１０に形成され、複数の溝２によって区画された複数の凸部３とを具備している。複数の溝２は、板表面１０の両端の間に亘って形成された第１溝２１と、第１溝２１の長手方向と交差する方向に延び、第１溝２１に交わった第２溝２２とを備えている。複数の凸部３は、第１溝２１に沿った第１凸部３１と、第２溝２２を介して第１凸部３１と隣り合い、第１溝２１に沿った第２凸部３２とを備えている。第１凸部３１は、第１溝２１の長手方向と直交する断面において湾曲した第１表面３１０を有している。第１表面３１０の第１溝２１側の端縁は、第１溝２１の溝側面２１３を兼ねる、第１凸部３１の端面に繋がっている。第２凸部３２は、第１溝２１の長手方向と直交する断面において第１表面３１０と異なる形状の第２表面３２０を有している。第２表面３２０の第１溝２１側の端縁は、第１溝２１の溝側面２１３を兼ねる、第２凸部３２の端面に繋がっている。第１凸部３１の端面の板厚方向における寸法と、第２凸部３２の端面の板厚方向における寸法とが異なっている。
【０１０７】
この構成を有する建築板１は、第１凸部３１の端面の板厚方向における寸法と、第２凸部３２の端面の板厚方向における寸法とが異なるため、第１溝２１においては、第１凸部３１に対応する部分と第２凸部３２に対応する部分とでは影のでき方が異なり、第１溝２１は長手方向において溝幅が異なるような外観となる。このため、建築板１を第１溝２１の長手方向に並べて施工したときに、仮に第１溝２１の長手方向に隣り合う建築板１の第１溝２１同士が上下にずれたとしても、このズレが前述した第１溝２１の溝幅が異なるような外観によって目立ち難くなる。
【０１０８】
さらに第１凸部３１の第１表面３１０は、第１溝２１の長手方向と直交する断面において湾曲しており、第１表面３１０にできる影のでき方は不均一になる。また、第２凸部３２の第２表面３２０は、左右方向と直交する断面において第１表面３１０と異なる形状であるため、第２表面３２０にできる影のでき方は、第１表面３１０と異なる。このため、隣り合う建築板１の第１溝２１同士のズレが、一層目立ち難くなる。
【０１０９】
また、前記実施形態及び変形例１の建築板１は、以下の付加的な構成を有している。第２表面３２０は、第１溝２１の長手方向と直交する断面において湾曲した面である。
【０１１０】
この構成を有する建築板１は、第２表面３２０が第１溝２１の長手方向と直交する断面において湾曲しているため、第２表面３２０における影のつき方は不均一になる。このため、隣り合う建築板１の第１溝２１同士のズレを、一層目立ち難くできる。
【０１１１】
また、前記実施形態及び変形例１の建築板１は、以下の付加的な構成を有している。第１表面３１０に、第１溝２１と平行で、第１溝２１よりも溝幅の小さい溝、又は第１溝２１の溝幅よりも幅が小さい突条からなる複数の細線５が形成されている。
【０１１２】
この構成を有する建築板１にあっては、第１凸部３１の第１表面３１０に複数の細線５による影ができやすくなり、第１表面３１０における影のつき方を一層不均一にできる。
【０１１３】
また、前記実施形態及び変形例１の建築板１は、以下の付加的な構成を有している。第１凸部３１が第１溝２１の長手方向において板表面１０の端部に形成されている。
【０１１４】
この構成を有する建築板１にあっては、第１溝２１が、板表面１０において隣に施工される建築板１に最も近い部分が溝幅が異なるような外観となり、隣り合う建築板１の第１溝２１同士のズレが、一層目立ち難くなる。
【０１１５】
また、前記実施形態及び変形例１の建築板１は、以下の付加的な構成を有している。複数の凸部３のうちの２０％以上の凸部３が、第１凸部３１であり、これら第１凸部３１が板表面１０にランダムに配置されている。
【０１１６】
この構成を有する建築板１は、建築板１を切断して施工する場合に、切断後の建築板１の端部に、第１凸部３１が存在しやすくなり、この場合も隣り合う建築板１の第１溝２１同士のズレを、一層目立ち難くすることができる。
【０１１７】
また、前記実施形態、変形例１、及び変形例２の建築板１は、以下の構成を有している。板表面１０の両端の間に亘って形成された溝２と、板表面１０に形成され、溝２によって区画された複数の凸部３とを具備している。複数の凸部３のうちの少なくとも１つの凸部３は、溝２の短手方向と直交する断面において湾曲した表面を有している。凸部３の表面の溝２側の端縁は、溝２の溝側面２１３を兼ねる、凸部３の端面に繋がっている。凸部３の端面の板厚方向における寸法が、溝２の長手方向において変化している。
【０１１８】
この構成を有する建築板１にあっては、凸部３の端面の板厚方向における寸法が、溝２の長手方向において変化しているため、溝２においては長手方向において影のでき方が変化しやすくなる。このため、溝２は長手方向において溝幅が異なるような外観になる。したがって、建築板１を溝２の長手方向に並べて施工したときに、仮に溝２の長手方向に隣り合う建築板１の溝２同士が上下にずれたとしても、このズレが前述した溝２の長手方向に溝幅が異なるような外観によって目立ち難くなる。
【０１１９】
さらに凸部３の表面は、溝２の短手方向と直交する断面において湾曲しているため、凸部３の表面にできる影のでき方は不均一になる。このため、隣り合う建築板１の第１溝２１同士のズレを、一層目立ち難くできる。
【０１２０】
（他の応用例）
なお、前記実施形態、変形例１、及び変形例２の第１溝２１は、建築板１の左右両端の間に亘って形成された横溝であるが、建築板１の上下両端の間に亘って形成された縦溝であってもよい。この場合は、第１溝２１の長手方向に異なるような外観によって、上下方向に隣り合う建築板１の第１溝２１同士の位置ズレを目立ち難くすることができる。
【０１２１】
また、前記実施形態及び変形例１の第２溝２２は、建築板１の上下両端の間に亘って形成されているが、第１溝２１と交わるのであれば、例えば建築板１の上下方向の中間部だけに形成されてもよい。
【０１２２】
また、建築板１は金属系サイディング材や樹脂系サイディング材などであってもよい。また、建築板１は縦張り用の建築板１であってもよい。また、建築板１は、塀材や屋根材など、外壁材以外の外装材として利用されてもよいし、内装材として利用されてもよい。
【０１２３】
また、この他、前記実施形態、変形例１、及び変形例２の建築板１は、発明の趣旨を逸脱しない範囲で適宜設計変更可能である。
【符号の説明】
【０１２４】
１  建築板
１０  板表面
２  溝
２１  第１溝
２１３  溝側面
２１４  溝側面
２２  第２溝
２２０  溝側面
３  凸部
３１  第１凸部
３１０  第１表面
３２  第２凸部
３２０  第２表面
５  細線
【図１】
0006791638.tif 000002
【図２】
0006791638.tif 000003
【図３】
0006791638.tif 000004
【図４】
0006791638.tif 000005
【図５】
0006791638.tif 000006
【図６】
0006791638.tif 000007
【図７】
0006791638.tif 000008
【図８】
0006791638.tif 000009
【図９】
0006791638.tif 000010
【図１０】
0006791638.tif 000011
【図１１】
0006791638.tif 000012
【図１２】
0006791638.tif 000013